(57)【要約】【課題】  水性クレヨン又は蛍光ボードマーカーでの筆記及び消字に最適なブラックシートを提供する。【解決手段】  黒色のベース紙１１の一方の面若しくは双方の面にポリプロピレン（ＰＰ）系樹脂のフィルム層１２を形成したもので、フィルム層１２の表面が適度の凹凸と平滑性を備えており、水性クレヨン又は蛍光ボードマーカーの定着性がよく、しかも消字の際には色残りなく、水性クレヨン又は蛍光ボードマーカーでの筆記及び消字を容易に行うことができるブラックシートである。【選択図】        図２
0003223379.tif 000002
【実用新案登録請求の範囲】
【請求項１】
水性クレヨン又は蛍光ボードマーカーで筆記又は消字するブラックシートであって、
本体が、
黒色のベース紙と、
前記ベース紙の一方の面又は双方の面にポリプロピレン系樹脂をラミネート加工して形成されるフィルム層とを有することを特徴とするブラックシート。
【請求項２】
フィルム層の厚さを、５μｍ以上１００μｍ以下としたことを特徴とする請求項１記載のブラックシート。
【請求項３】
フィルム層の厚さを、２０μｍ以上６０μｍ以下としたことを特徴とする請求項１記載のブラックシート。
【請求項４】
本体は、Ａ３又はＡ４サイズとしたことを特徴とする請求項１乃至３のいずれか記載のブラックシート。
【請求項５】
本体の四隅を角丸加工したことを特徴とする請求項１乃至４のいずれか記載のブラックシート。
【考案の詳細な説明】
【技術分野】
【０００１】
本考案は、水性クレヨン又は蛍光ボードマーカーで書き込みできるブラックシートに係り、特に、水性クレヨン又は蛍光ボードマーカーでの筆記及び消字に最適なブラックシートに関する。
【背景技術】
【０００２】
［先行技術の説明］
従来、黒板等の表面に貼り付けることができる黒板シートが提案されている。
従来の黒板シートは、ゴムシートの上にプラスチックフィルムを積層し、その上に更に黒板塗料を積層した構成で、軽量で持ち運びしやすいものとなっている。
【０００３】
［関連技術］
尚、関連する先行技術としては、実用新案登録第３１４９８６５号公報「黒板シート」（特許文献１）、実用新案登録第３１４９８６６号公報「黒板シート」（特許文献２）がある。
【０００４】
特許文献１には、ゴムシートの上にプラスチックフィルムを積層し、更にその上に黒板塗料を積層する黒板シートが記載されている。
特許文献２には、既存の黒板表面に貼り付ける黒板シートであり、剥離紙、両面接着材料、プラスチックフィルム、黒板塗料を積層した構成が記載されている。
【先行技術文献】
【特許文献】
【０００５】
【特許文献１】実用新案登録第３１４９８６５号公報
【特許文献２】実用新案登録第３１４９８６６号公報
【考案の概要】
【考案が解決しようとする課題】
【０００６】
しかしながら、従来の黒板シートでは、店舗のブラックボードで使用される水性クレヨン又は蛍光ボードマーカーで筆記した場合にのり（密着性）が悪く、また、水で拭き取って消字した場合に色が残ってしまうという問題点があった。
【０００７】
また、従来の黒板シートは、学校用のものであって大きく、Ａ３又はＡ４サイズのものは一般的でなく、更に小片に切って使うには適していないものであった。
【０００８】
尚、特許文献１，２には、水性クレヨン又は蛍光ボードマーカーでの筆記及び消字が容易で、小型で自在に切り取って使用することは記載されていない。
【０００９】
本考案は上記実状に鑑みて為されたもので、水性クレヨン又は蛍光ボードマーカーでの筆記及び消字に最適なブラックシートを提供することを目的とする。
【課題を解決するための手段】
【００１０】
上記従来例の問題点を解決するための本考案は、水性クレヨン又は蛍光ボードマーカーで筆記又は消字するブラックシートであって、本体が、黒色のベース紙と、ベース紙の一方の面又は双方の面にポリプロピレン系樹脂をラミネート加工して形成されるフィルム層とを有することを特徴としている。
【００１１】
本考案は、上記ブラックシートにおいて、フィルム層の厚さを、５μｍ以上１００μｍ以下としたことを特徴としている。
【００１２】
本考案は、上記ブラックシートにおいて、フィルム層の厚さを、２０μｍ以上６０μｍ以下としたことを特徴としている。
【００１３】
本考案は、上記ブラックシートにおいて、本体が、Ａ３又はＡ４サイズとしたことを特徴としている。
【００１４】
本考案は、上記ブラックシートにおいて、本体の四隅を角丸加工したことを特徴としている。
【考案の効果】
【００１５】
本考案によれば、本体が、黒色のベース紙と、ベース紙の一方の面又は双方の面にポリプロピレン系樹脂をラミネート加工して形成されるフィルム層とを有するブラックシートとしているので、フィルム層の表面では水性クレヨン又は蛍光ボードマーカーの定着性がよく、しかも消字の際には色残りなく、水性クレヨン又は蛍光ボードマーカーでの筆記及び消字を容易に行うことができる効果がある。
【図面の簡単な説明】
【００１６】
【図１】本シートの平面説明図である。
【図２】本シートの断面説明図である。
【図３】筆記テストを示す図である。
【図４】水性クレヨンの消字テストを示す図である。
【図５】蛍光ボードマーカーの消字テストを示す図である。
【考案を実施するための形態】
【００１７】
本考案の実施の形態について図面を参照しながら説明する。
［実施の形態の概要］
本考案の実施の形態に係るブラックシート（本シート）は、黒色のベース紙の一方の面若しくは双方の面にポリプロピレン（polypropylene：ＰＰ）系樹脂のフィルム層を形成したもので、フィルム層の表面が適度の凹凸と平滑性を備えており、店舗のブラックボードで使用される水性クレヨン又は蛍光ボードマーカーの定着性がよく、しかも消字の際には色残りなく、水性クレヨン又は蛍光ボードマーカーでの筆記及び消字を容易に行うことができるものである。
【００１８】
また、本シートは、大きさがＡ３又はＡ４サイズであり、ベース紙に薄い樹脂のフィルム層を形成しているので、持ち運びが容易で使い易く、ハサミ等で任意の小片に切り取って使用できるものとなっている。
【００１９】
［本シート：図１，２］
本シートについて図１，２を参照しながら説明する。図１は、本シートの平面説明図であり、図２は、本シートの断面説明図である。
本シートは、本体１の大きさがＡ３又はＡ４サイズで、図１に示すように、黒色で、四隅が角丸加工してあり、ユーザを傷つけることがなく、安心である。
【００２０】
また、図２に示すように、本シートの本体１は、黒色の紙（ベース紙）１１の上にポリプロピレン（ＰＰ）系樹脂がラミネート加工されてＰＰ系樹脂のフィルム層１２が形成されている。
ＰＰ系樹脂としては、ポリプロピレンの他に、プロピレンとエチレン、その他のモノマーとの共重合体を挙げることができる。また、ＰＰ系樹脂は、本体１の黒色をきれいに見せるために、無色透明が望ましい。
【００２１】
フィルム層の厚さは、あまり薄いとベース紙１１の凹凸が直接に反映されて表面の平滑性が失われて消字が綺麗にできないが、厚いと表面の凹凸がなくなり平滑性が高くなって筆記の際にインクののりが悪くなるので、５μｍ以上１００μｍ以下、望ましくは２０μｍ以上６０μｍ以下が適している。
そして、本シート全体の厚みは、約０．４ｍｍ程度である。尚、厚みが、０．５ｍｍ程度以下であれば、ハサミ等で切ることが容易であるため、０．５ｍｍ程度以下が望ましい。
【００２２】
図２の例では、ＰＰ系樹脂のフィルム層１２をベース紙１１の一方の面にだけ形成した例を示したが、本シートの本体１の両面を使えるようにするためには、他方の面（図２の下側の面）にもフィルム層１２を形成する。
【００２３】
［本シートの利点］
本シートの構成では、表面の反射が少なく、板面が見やすくなっている。
また、本シートのＰＰ系樹脂のフィルム層１２の表面に、チョーク、水性クレヨン、蛍光ボードマーカーで書き込むと、それらの筆記材料の残りが良く（のりが良く）、水拭きによる消字も色残りがない。本シートの筆記テストと消字テストについては後述する。
【００２４】
また、本シートは、フレームがなく、ＰＰ樹脂で全体をラミネート加工しているため、水で丸洗いでき便利である。
更に、本シートは、紙が基本材料であるので、ハサミやカッターでカットして小片で使用することができる。
【００２５】
また、本シートは、基本材料が紙であり、Ａ３又はＡ４サイズで軽いため、安価に製造でき、持ち運びが便利で家庭での利用に適している。尚、上記サイズに拘わらず、本シートを任意のサイズ及び任意の形状としてもよい。
無論、店舗用でも使用でき、ピンで壁に止めて掲示でき、小さくカットすれば、ＰＯＰ（Point Of Purchase advertising）として、何度も使用できる。
【００２６】
更に、ＰＯＰ、チョークアート、オファリングボードの講座や各種セミナーで、軽く持ち運びに便利のため、利用可能である。また、本シートは、ブラックボードに比べて安価であるので、作品をコレクションとして多く保存しても費用を抑えることができる。
【００２７】
［筆記テスト：図３］
次に、筆記テストについて図３を参照しながら説明する。図３は、筆記テストを示す図である。尚、本シート（ＰＰシート）と比較するため、既存品としてＰＶＣ（ポリ塩化ビニル）シートを用いて、レッドとパープルの水性クレヨンで描いている。
【００２８】
図３に示すように、ＰＶＣシートでは、平滑性が高すぎて、インクが滑り、シートへの定着力が弱く、２色を重ねる際に、上の色が滑り、下の色をこそげ取ってしまうことがあり、綺麗に発色しないなど、重ね塗りが上手くできない。
【００２９】
それに対して、本シートでは、シートに程よい凹凸があるため、インクがのりやすく、シートへの定着力が強い。水性クレヨンで２色を重ねる際も、下の色に上の色がしっかりのり、鮮やかな発色の発色の再現ができるものとなっている。
【００３０】
［消字テスト（水性クレヨン）：図４］
次に、消字テストについて図４を参照しながら説明する。図４は、水性クレヨンの消字テストを示す図である。ここでも既存品としてＰＶＣシートを用いている。
図４では、既存品と本シートに水性クレヨンで書き込み、ティッシュペーパーに水を含ませて消字した結果である。
図４の左側に記載したアルファベットは、Ｃがブラウン、Ａがブルー、Ｍがグリーン、Ｖがパープル、Ｒがレッド、Ｐがピンク、Ｄがオレンジ、Ｌがクリーム、Ｙがイエロー、Ｗがホワイトである。
【００３１】
ＰＶＣシートでは、消字後に色の跡がうっすら残り、とれず、特にＲ（レッド）は残り易い。
これに対して、本シートでは、消字後に色が残ることがなく、綺麗に消えている。
【００３２】
［消字テスト（蛍光ボードマーカー）：図５］
次に、消字テストについて図５を参照しながら説明する。図５は、蛍光ボードマーカーの消字テストを示す図である。ここでも既存品としてＰＶＣシートを用いている。
図５では、既存品と本シートに蛍光ボードマーカーで書き込み、ティッシュに水を含ませて消字した結果である。
図５で左側のアルファベットは、Ａがブルー、Ｍがグリーン、Ｖがパープル、Ｒがレッド、Ｐがピンク、Ｄがオレンジ、Ｙがイエロー、Ｗがホワイト、Ｃがブラウン、ＭＤがリーフグリーン、Ｊがベージュ、Ｌがクリームである。
【００３３】
ＰＶＣシートでは、消字後に色の跡が残って、とれず、特にＲ（レッド）、Ｃ（ブラウン）、ＭＤ（リーフグリーン）、Ｌ（クリーム）は消えていない。
これに対して、本シートでは、消字後に色が残ることがなく、綺麗に消えている。
【００３４】
［実施の形態の効果］
本シートによれば、黒色のベース紙１１の一方の面若しくは双方の面にポリプロピレン（ＰＰ）系樹脂のフィルム層１２を形成したもので、フィルム層１２の表面が適度の凹凸と平滑性を備えており、水性クレヨン又は蛍光ボードマーカーの定着性がよく、しかも消字の際には色残りなく、水性クレヨン又は蛍光ボードマーカーでの筆記及び消字を容易に行うことができる効果がある。
【００３５】
本シートによれば、フレームがなく、両面を樹脂でラミネート加工している場合には、水で丸洗いできる効果がある。
また、本シートによれば、紙が基本材料であるため、ハサミ等でカットして小片で使用でき、安価に製造できる効果がある。
また、本シートによれば、安価であるため、作品をコレクションとして多く保存しても経済的である。
【産業上の利用可能性】
【００３６】
本考案は、水性クレヨン又は蛍光ボードマーカーでの筆記及び消字に最適なブラックシートに適している。
【符号の説明】
【００３７】
１…本シート、  １１…ベース紙、  １２…ポリプロピレン（ＰＰ）系樹脂フィルム層
【図１】
0003223379.tif 000003
【図２】
0003223379.tif 000004
【図３】
0003223379.tif 000005
【図４】
0003223379.tif 000006
【図５】
0003223379.tif 000007